(57)【要約】【課題】レーザポインタが有する機能を備えるとともに、レーザポインタと比して危険性の少ない装置であり、対象物に光を当てたときに生じる光点の輪郭が明確なものを提供する。【解決手段】光ポインタは、実際上の点光源として機能する光源系１４０と、第２レンズ１６０と、第１レンズ１５０とを備えている。光源系１４０は、ＬＥＤ又はＥＬであり、レーザを発振しない。光源系１４０から出た光は、負のパワーを持つ第２レンズ１６０を通ってその照射角が拡大され正のパワーを持つ第１レンズ１５０に向かい、第１レンズ１５０を通過して実際上の平行光となる。実際上の平行光は、所定の対象物にあたり、レーザポインタが作るのと同様の光点を作る。ケース１１０の内周面にはネジ切りがなされている。これにより予期せぬ迷光は乱反射してまとまっては存在できなくなるから、光点の輪郭が明確になる。【選択図】図１
2015222341.tif 000002
【特許請求の範囲】
【請求項１】
正のパワーを有するレンズである第１レンズと、
前記第１レンズの光軸上の、その範囲から出た光が前記第１レンズを通過した後に実際上の平行光となる程度に狭小な範囲である光出射範囲から前記第１レンズに向けて光を照射するようになっている光源系と、
前記光源系を内蔵し、前記第１レンズが取付けられるケースと、
を有し、
所定の対象物に当たった実際上の平行光となった前記光が光点を作るようになっている、
光ポインタであって、
前記ケースの内周面の少なくとも一部は、光が一定方向に反射することを防止する反射防止面とされている、
光ポインタ。
【請求項２】
前記反射防止面は、そこに当たった光が様々な方向に反射するようになっており、それにより、光が一定方向に反射することを防止するようにされている、
請求項１記載の光ポインタ。
【請求項３】
前記ケースは円筒形であり、前記反射防止面には、ネジ切りがされている、
請求項２記載の光ポインタ。
【請求項４】
前記反射防止面は、その表面が荒らされている、
請求項２記載の光ポインタ。
【請求項５】
前記反射防止面は、そこに当たって反射する光を減衰させるようになっており、それにより、光が一定方向に反射することを防止するようにされている、
請求項１記載の光ポインタ。
【請求項６】
前記反射防止面の表面は、前記光源系からの光を吸収する色となっている、
請求項５記載の光ポインタ。
【請求項７】
前記反射防止面には、反射防止塗料が塗布されている、
請求項５記載の光ポインタ。
【請求項８】
前記反射防止面は、前記ケースの内周面のうち、前記光源系から前記第１レンズに相当する部分の１／２以上の長さに相当する範囲に存在するようになっている、
請求項１〜７記載の光ポインタ。
【請求項９】
前記反射防止面は、前記ケースの内周面のうち、前記光源系から前記第１レンズに相当する部分の全長にわたって存在するようになっている、
請求項１〜７記載の光ポインタ。
【請求項１０】
前記光源系と、前記第１レンズの間に、負のパワーを有する第２レンズが配されている、
請求項１記載の光ポインタ。
【発明の詳細な説明】
【技術分野】
【０００１】
本発明は、光ポインタに関する。
【背景技術】
【０００２】
例えばプレゼンテーションの場で指し棒の代わりに使われることの多い、レーザポインタという製品が存在する。
レーザポインタは、一般には半導体レーザであるレーザを発振するレーザ発振装置を内蔵している。レーザはよく知られているようにその直進性が非常に強い。それを応用して、直進する光を指し示す対象に当てて意図する箇所に光点を作ることにより、レーザポインタは指し棒の代わりとして機能する。
レーザポインタには、暗い場所でも示している場所が分かりやすい、指し棒の届かないような遠距離でも指せる、非常に高温・低温なものや回転しているものなど手や指し棒で直接触れられないものでも光点で指し示すことができる等の利点があり、広く普及している。
【０００３】
他方、レーザポインタには、危険性があるとの指摘もある。レーザポインタは上述のように、直進性の非常に高いレーザを応用したものである。レーザの直進性の高さはレーザポインタには不可欠であるが、他方レーザの出力の大きさによっては事故を生じるおそれも有している。
例えば、誤って、または悪意のあるものによってあらぬ方向にレーザポインタから放たれたレーザが、第三者の目に入った場合には、不測の事態が生じるおそれがある。
【発明の概要】
【発明が解決しようとする課題】
【０００４】
そのようなレーザポインタの危険性は古くから指摘されており、行政の指導や或いは業界の自主規制などにより、レーザポインタが持つレーザ発振装置の出力を規制するなどの措置が取られている。
しかしながら、レーザ発振装置の出力を弱めると、暗い場所でも示している場所が分かりやすい、指し棒の届かないような遠距離でも指せるといったレーザポインタの利点が薄れる。かと言って、レーザ発振装置の出力が強いと、その危険性を抑えることができない。
【０００５】
本願発明は、暗い場所でも示している場所が分かりやすい、指し棒の届かないような遠距離でも指せる、非常に高温・低温なものや回転しているものなど手や指し棒で直接触れられないものでも指し示すことができるといった、レーザポインタが有する機能を備えるとともに、レーザポインタと比して危険性の少ない装置を提供することに寄与することをその課題とするものである。
【課題を解決するための手段】
【０００６】
本願発明者は上記課題を解決するために研究を重ね、上述のレーザポインタの如きレーザ発振装置、或いはそれから発振されるレーザを用いない、以下のようなまったく新たな原理に基づくポインタを開発した。
レーザを用いないポインタである以下のような装置は、同種装置、同種製品が存在しないため、便宜上、本願では当該装置を「光ポインタ」と呼ぶことにする。
【０００７】
本願発明は、正のパワーを有するレンズである第１レンズと、前記第１レンズの光軸上の、その範囲から出た光が前記第１レンズを通過した後に実際上の平行光となる程度に狭小な範囲である光出射範囲から前記第１レンズに向けて光を照射するようになっている光源系と、前記光源系を内蔵し、前記第１レンズが取付けられるケースと、を有し、所定の対象物に当たった実際上の平行光となった前記光が光点を作るようになっている、光ポインタであって、前記ケースの内周面の少なくとも一部は、光が一定方向に反射することを防止する反射防止面とされている、光ポインタである。
この光ポインタは、レーザを用いない。光源系は光を発するが、光源系が発する光はレーザではない。光源は例えば、ＬＥＤ（Ｌｉｇｈｔ  Ｅｍｉｔｔｉｎｇ  Ｄｉｏｄｅ：発光ダイオード）、或いはＥＬ（Ｅｌｅｃｔｒｏ  Ｌｕｍｉｎｅｓｃｅｎｃｅ：エレクトロルミネッセンス）を含んでいる。
本願の光ポインタは、正のパワーを有するレンズである第１レンズを有する。また、この光ポインタにおける光源系は、それから出た光が前記第１レンズを通過した後に実際上の平行光となる狭小な範囲である光出射範囲から前記第１レンズに向けて光を照射するようになっている。第１レンズは、合成して考えたときに正のパワーを有する限り、複数のレンズであっても構わない。第１レンズが一枚の正のパワーを有するレンズである場合、上述の光出射範囲は、第１レンズの焦点に一致する。
正のパワーを有するレンズの焦点におかれた点光源から出て当該レンズに入射した光が平行光となって当該レンズから出るということは、レンズの近軸光線に関して言えば、光学の常識である。本願の光ポインタは、その原理を応用して、光源系の光出射範囲を、それが実際上点光源として機能する程度に狭小な範囲としている。光源系の光出射範囲を、第１レンズの光軸上の、それから出た光が前記第１レンズを通過した後に実際上の平行光となる範囲（第１レンズが一つの正のパワーを有するレンズである場合には第１レンズの焦点）に位置させることで、実際上の平行光を得ることとしている。
それにより、所定の対象物に当たった実際上の平行光となった光は、光ポインタ（より正確には、第１レンズ）から対象物までの距離に関わらず、対象物上に光点を作るから、この光ポインタは、レーザポインタと同様に用いることができる。のみならずこの光ポインタは、レーザを用いないものであるから、レーザポインタにつきまとった危険性が殆どない。
【０００８】
このような光ポインタを従来作ることのできなかった理由は、実際上点光源として機能する程度に狭小で、且つ十分な明るさを持つ光源系が従来存在していなかったということに尽きる。正のパワーのレンズを用いて平行光を作る場合には、その平行光の断面の大きさは、光が照射される範囲である光出射範囲（例えば、発光を行う面状の発光面を光源系が有する場合であれば、その発光面が光出射範囲に相当する。）よりも小さくなることはない。しかも、光出射範囲は正確な意味での点ではあり得ないので、第１レンズを通過した光である平行光は実際上の平行光ではあるものの、完全な平行光ではない。大雑把に言えば、第１レンズを通過した光は、対象物までの距離が長くなるにつれその断面が広がっていき、それが対象物に当たったときにできる光点が大きくなり、且つ暗くなる。したがって、十分な明るさを持ち、小さな光出射範囲を有する光源系が存在しなければ、本願の如き光ポインタを作ることはできないのである。
本願発明は、そのような光源系を、その構成の仕方も含めて見出すとともに、それを用いて実際上の平行光を作ったことのみならず、その実際上の平行光を用いればレーザポインタ代用品を得ることができることを明らかにしたところに、その価値がある。
なお、本願では、第１レンズを出た光によって対象物上に作られた光点を、レーザポインタから放たれた光が対象物上に作る光点と同様に利用することができる程度に、第１レンズを出た光が平行である場合には、本願における「実際上の平行光」という条件が満たされるものとする。
【０００９】
ところで、本願発明者は上述の如き光ポインタを試作している最中に、第１レンズを通過して実際上の平行光となった光を所定の対象物に当てた場合にできる光点の輪郭が、ぼやけてしまうという現象に気がついた。光点の輪郭がぼやけるという現象は、光ポインタの指し棒としての性能に影響を与えかねない。
かかる不具合が生じる原因は幾つかあるが、その原因の一つとして挙げられるのは、本来は光源系から直接第１レンズに向かい第１レンズから光ポインタの外部にそのまま出るべき光のうち、ケースの内部の部品に当たる等して予期せずに発生した迷光の存在である。かかる迷光が、第１レンズを通過して実際上の平行光となった光（或いはその光が作る光点）に影響して、光点の縁がぼやけた状態となるのである。
本願発明では、前記ケースの内周面の少なくとも一部を、光が一定方向に反射することを防止する反射防止面とすることで、まとまった迷光が第１レンズから外に出て行きにくくすることにしている。これにより、光ポインタの指し棒としての性能に影響を与えかねない光点がぼけるという現象を減じることができる。
【００１０】
前記反射防止面は、そこに当たった光が様々な方向に反射するようになっており、それにより、光が一定方向に反射することを防止するようにされていても良い。これによりまとまった迷光が存在しにくくなる。これらのような反射防止面は、例えば以下のような構成により実現できる。
その１つ目は、前記ケースは円筒形であり、前記反射防止面には、ネジ切りがされているという構成である。ケースの内周面を雌ねじのように構成することによって、ネジ溝に当たった光が様々な方向に反射することになる。その２つ目は、前記反射防止面は、その表面が荒らされている、という構成である。これも、荒らされたケースの内周面に当たった光を様々な方向に反射するようにするという工夫である。いずれもその加工は難しくなく、コスト的にも大きな問題を生じにくい。
前記反射防止面は、そこに当たって反射する光を減衰させるようになっており、それにより、光が一定方向に反射することを防止するようにされていても良い。この場合には、反射する光自体を減少させることにより、まとまった迷光が存在しにくい状況とする。このような反射防止面は、例えば以下のような構成により実現できる。
その１つ目は、前記反射防止面の表面は、前記光源系からの光を吸収する色となっている、という構成である。光源系からの光を吸収する色は、例えば、光源系の光の色の補色となる色であり、或いは黒色である。その２つ目は、前記反射防止面には、反射防止塗料が塗布されているという構成である。反射防止塗料は、市販のもので構わない。いずれもその加工は難しくなく、コスト的にも大きな問題を生じにくい。
【００１１】
ケース内の反射防止面は、ケースの内周面の少なくとも一部に形成されていれば足りる。反射防止面はケースの内周面の全面に形成されていても良い。
例えば、前記反射防止面は、前記ケースの内周面のうち、前記光源系から前記第１レンズに相当する部分の１／２以上の長さに相当する範囲に存在するようになっていても良い。この程度の範囲に反射防止面が存在すれば、まとまった迷光を少なくするという効果は得られる。前記反射防止面は、前記ケースの内周面のうち、前記光源系から前記第１レンズに相当する部分の全長にわたって存在するようになっていても良い。こうすることで、まとまった迷光をかなり少なくすることができる。
【００１２】
本願発明の光ポインタにおける前記光出射範囲は、小さければ小さいほど良く、例えば、５ｍｍ角よりも小さくされていても良い。光出射範囲は、第１レンズの光軸上にあり、且つ通常は第１レンズの光軸に直交する所定の平面内にある。光出射範囲が５ｍｍ角よりも小さいと、光ポインタから対象物までの距離が３ｍ程度離れたときに対象物に平行光を当てることによりできる光点の大きさが３０ｍｍ角よりも小さくなり（形状を問わず３０ｍｍ角の中に収まるようになり）、光ポインタをレーザポインタのように用いるために要求される基本的な性能を、充足させやすくなる。なお、レーザポインタが作る光点は例えば直径数ｍｍ程度の円等である場合が多く、比較的小さいのが通常である。ここで、レーザポインタが作る光点が小さいのは、照射される光がレーザであること、またレーザ発振器の出力が主に安全上の理由から事実上制限されていることから導き出される結果に過ぎず、レーザポインタの製造者が積極的に、或いは意図的にレーザポインタが作る光点を小さくしているわけではない。本願発明者の研究によれば、むしろ光点がある程度大きい方が、例えば、直径５ｍｍの円を、より好ましくは直径１０ｍｍの円を超える程度の方が見易くなるということが判明している。そういった意味では、光ポインタから３ｍ離れたときにおける光点の大きさが３０ｍｍ角程度となるのはむしろ好ましいといえる。なお、実際上の平行光が対象物に作る光点は、光ポインタから対象物までの距離が長くなればなる程実際上の平行光の断面が大きくなることに基づき大きくなるが、実際上の平行光をより完全な平行光に近づけることができれば、光ポインタが対象物に作る光点は、光ポインタから光点までの距離に関わらず完全に同じになる。第１レンズを含む光学系の設計との兼ね合いになるが、本願発明者の研究によれば、レーザポインタから対象物までの距離によらず、光ポインタが対象物上に作る光点の大きさをユーザがある程度許容できる程度にすることを実現するためには、光出射範囲は、３ｍｍ角よりも小さくするのが好ましく、もっと言えば１ｍｍ角よりも小さくするのが好ましい。更に言えば、光出射範囲は、例えば、直径３ｍｍ以下の円形の範囲に収まるようにするのが好ましく、或いは、直径１ｍｍ以下の円形の範囲に収まるようにするのが更に好ましい。
【００１３】
光源系は、光を発する発光体そのものであっても良いし、それに他の部材を加えて構成されていても構わない。発光体は例えば、ＬＥＤ、或いはＥＬである。
本願発明の前記光源系は光を発する発光体を備えており、前記発光体の発光を行う発光面が、前記光出射範囲となっていても良い。多くのＬＥＤは、積層された半導体の側面から光を放出し、放出した光を半導体の背面に置かれた凹面鏡で前方に反射するようになっている。他方、ある種の半導体は、その前面の発光面から前方に向けて光を放出するようになっている。このような半導体を用いる場合であればその前面の発光面を、光出射範囲として用いることができる。ＥＬもその前面の発光面から光を照射するようになっているので、その前面の発光面を光出射範囲として用いることができる。
【００１４】
本願発明の前記光源系は、光を発する発光体と、前記発光体から出た光を通過させる開口を有する、前記発光体から出た光を絞るための絞りとを備えており、前記開口の内側が、前記光出射範囲となっていても構わない。
この場合の発光体は、発光面を備えていても良いが、発光面を備えていなくても良い。この場合、発光体から出た光は、絞りの開口で絞られる。その開口を光出射範囲と見做すことができる。かかる絞りを用いることにより、発光面を小さくすることにそれほど努力を払わなくとも、実際上の点光源として機能する狭小な光出射範囲を有する光源系を容易に実現できることになる。
絞りは発光体に近い位置に設けられる方が、発光体からの光が無駄になりにくいから好ましい。絞りは例えば、発光体から２ｍｍ以内の位置に設けられていても良い。発光体が発光面を持つのであれば、絞りは発光面から２ｍｍ以内の位置に設けられるのが好ましい。更に言えば、絞りは発光体に、或いは発光面に当接させられていても良い。
【００１５】
前記絞りの前記開口に沿う縁の断面形状は、その縁に行くほど薄くなるナイフエッジ状とされていても良い。
光ポインタを試作した本願発明者は、対象物に実際上の平行光を照射することで生じる光点の縁が明確でなくぼんやりすることに気がついた。その原因を探ったところ、発光体からの光が、絞りの開口に沿う縁（一般的には、板状の絞りと同じ厚さがある）に当たって反射し迷光が生じることがその一因であることが判明した。絞りの開口に沿う縁の断面形状をナイフエッジ状とすることで、そのような迷光の発生を効果的に防止できるので、本願の光ポインタが作る光点の縁を明確なものとすることができるようになる。
【００１６】
絞りの開口の形状はどのようなものでも構わない。絞りの開口の形状は基本的に、光点の形状を決定するものである。絞りの開口の形状を光点として希望する形状とすることで、本願の光ポインタは所望の光点を対象物に生じるものとなる。一般的なレーザポインタを用いて対象物の上に作ることのできる光点の形状としては、円形、星形、ライン状（細い矩形）等が存在するが、開口の形状はそれら各形状と同じものとすることができる。
発光体が発光面を有する場合、絞りの開口の形状は発光面の形状とは異なるものとすることができる。発光体がＬＥＤ、或いはＥＬである場合には、それらの発光面は通常矩形であろう。その場合、例えば、開口の形状は、円形、星形等にすることも、また発光面の形状とは異なる矩形にすることもできる。
また、絞りの開口の形状、大きさは、開口の全体を、発光体からの光が通過するようなものとするのが基本的な絞りの用い方である。その場合には、絞りの開口の形状と、光点の形状は一致する。絞りの開口のうち発光体からの光が通過しない部分がある場合には、光点はその部分が欠けた形状となる。
【００１７】
上述したように、前記光源系は、発光を行う面である発光面を備えている場合がある。その場合、前記発光面は前記第１レンズの光軸に垂直となるようにして、前記第１レンズ方向に臨んでいても良い。
【００１８】
本願の光ポインタでは、前記光源系と、前記第１レンズの間に、負のパワーを有する第２レンズが配されていても良い。負のパワーを有するレンズは、それを通過する光源系からの光を更に広げる機能を有する。これは、事実上、第１レンズの焦点の位置を第１レンズに近づけるように作用する。そのような負のパワーを有する第２レンズを光源系と第１レンズの間に配することで、光源系から第１レンズまでの距離を近づけることが可能となるから、光ポインタを小型化するのが容易となる。
【００１９】
光ポインタが対象物上に作る光点は、直径５ｍｍの円を超える方がよく、直径１０ｍｍの円を超える方がより好ましいことを既に述べた。それを踏まえて、本願発明は以下のようなものとすることができる。
本願発明の光ポインタは、前記第１レンズから前記対象物までの距離が、前記光ポインタを使用する際に想定される前記第１レンズから前記対象物までの距離である予定距離の範囲内である場合における光点の大きさが、直径５ｍｍの円から少なくともその一部が食み出でるようになっていても良い。予定距離は、光ポインタを使用する際に想定される第１レンズから対象物までの距離である。予定距離は、実際上は、光ポインタの製造販売者が、ユーザに、光ポインタから対象物までの距離はこの範囲とするようにして光ポインタを使用してください、などと取扱い説明書等によって注意喚起を行う距離となろう。予定距離は大抵の場合、数１０ｃｍから１０ｍ程度の間に収まると予想される。かかる予定距離のすべての範囲に対象物位置する場合において、対象物上に生じる光点が、直径５ｍｍの円から少なくともその一部が食み出でるようなものとなっていれば、その光点は見易いものとなる。
前記第１レンズから前記対象物までの距離が、前記予定距離の範囲内である場合における光点の大きさが、直径１０ｍｍの円から少なくともその一部が食み出でるようになっていれば、その光点はなお見易い。
他方、光点が余りにも大きければ、その光点が指し示している場所が不明確になるおそれがある。その意味では、前記第１レンズから前記対象物までの距離が、前記予定距離の範囲内である場合における光点の大きさが、直径６０ｍｍの円に収まるようになっているのが好ましい。更に言えば、前記第１レンズから前記対象物までの距離が、前記予定距離の範囲内である場合における光点の大きさが、直径４０ｍｍの円に収まるようになっているのがより好ましい。光点の大きさが直径４０ｍｍの円に常に収まるのであれば、第１レンズから対象物までの距離が変化しても対象物上に生じる光点の大きさの変化を、それを見る者が気にならない程度に留めることができる。
第１レンズから対象物までの距離が変化しても対象物上に生じる光点の大きさの変化がそれ程生じないようにするには、光点のピント位置までの距離を長くすることが有用であることが本願発明者の研究によって明らかになっている。詳しい理屈は不明であるが、対象物までの距離がピント位置よりも手前である場合には、対象物の表面に生じる光点は対象物が遠くなっても緩やかに大きくなるだけであるが、対象物までの距離がピント位置よりも遠くなった場合には、対象物の表面に生じる光点は対象物が遠くなると急速に大きくなる。したがって、前記光点のピント位置が、前記予定距離よりも遠くなっていれば、第１レンズから対象物までの距離が変化しても対象物上に生じる光点の大きさの変化がそれ程生じないようにすることができる。
【００２０】
本願発明の光ポインタの光源系が発光体を有する場合、前記発光体の前方（発光体と第１レンズの間の、多くの場合発光体の直近位置）には、前記発光体が発した光を散乱する、散乱フィルタが配置されていても良い。光ポインタを使用する場合において対象物が、光ポインタのピント位置に存在すると、そこに生じる光点は、発光体のまさに光を発している部分の像を結像させる。例えば、発光体が、発光面を有するＬＥＤである場合、光点には、ＬＥＤの発光面に形成された半導体のパターンが浮かび上がることになる。光点のピント位置が、予定距離よりも遠くなっている場合には、対象物がピント位置に丁度位置する状態が普通に生じる。散乱フィルタが存在すれば、光点に発光体のまさに光を発している部分の像が結像されるという事態が生じるのを防止できる。
光源系が絞りを有する場合、前記発光体が発した光を散乱する、前記発光体の前方に位置する散乱フィルタは、前記絞りの前記開口内に配されていても良い。こうすれば絞りの開口を通過する光のすべてを散乱フィルタにより散乱させることができる。前記散乱フィルタ及び前記絞りは、前記発光体が発した光を散乱する機能を有する一枚の板により構成されており、前記板の周辺を、光が透過できないようにすることにより、前記絞りとして機能させることができるようになっていてもよい。散乱フィルタの周縁を絞りとして用いることにより、散乱フィルタと絞りを別々に製造しそれらを組み合せることによるコストを低減できる。例えば、矩形の散乱フィルタの周縁を、その中央に円形の開口が残るようにして、光を通過させない例えば黒色の塗料で被覆すれば、上述の如き一体物の絞り及び散乱フィルタを得られる。
【図面の簡単な説明】
【００２１】
【図１】一実施形態による光ポインタの構成を概略的に示す側断面図。
【図２】図１に示した光ポインタに含まれる絞りの断面形状を示す側断面図。
【図３】図１に示した光ポインタに含まれる発光体の発光面と、絞りの開口の関係を示す正面図。
【図４】図１に示した光ポインタにおける光の挙動を示す側面図。
【図５】変形例１の光ポインタにおける光の挙動を示す側面図。
【図６】変形例２の光ポインタにおける光の挙動を示す側面図。
【図７】図１に示した光ポインタにおける散乱フィルタの構成を示す側面図。
【発明を実施するための形態】
【００２２】
以下、本発明の実施形態を、図面を参照して説明する。
【００２３】
図１に、この実施形態による光ポインタの概略的な側断面図を示す。
光ポインタはケース１１０を備えている。光ポインタは、ケース１１０に種々の部品を内蔵させ、或いは種々の部品を取付けてなる。
ケース１１０は、これには限られないが樹脂製である。ケース１１０は、これには限られないが筒状であり、より詳細には円筒形状である。
ケース１１０には、スイッチ１２０が取付けられ、また電源部１３０、光源系１４０、第１レンズ１５０、及び第２レンズ１６０が内蔵されている。光源系１４０、第１レンズ１５０、及び第２レンズ１６０の光軸は一致している。
【００２４】
円筒形のケース１１０の内周面の少なくとも一部には、光源系１４０から出た光の好ましくない挙動を防止するための工夫が存在する。それは具体的には、ケース１１０の内周面の少なくとも一部で、光が一定方向に反射することを防止するための手段として具現化されている。光が一定方向に反射することを防止するための手段とは、ケース１１０の内周面のある場所に当たった光が様々な方向に反射するようになっていることにより、光源系１４０から出た光がケース１１０内の何らかの部品等に当たって生じた迷光を分散させることで迷光が後述する実際上の平行光（或いはそれによって対象物に作られる光点）に与える影響を小さくする手段と、ケース１１０の内周面のある場所に当たって反射する光を減衰させることにより、迷光が実際上の平行光（或いはそれによって対象物に作られる光点）に与える影響を小さくする手段の双方を含む。
光源系１４０から出た光の好ましくない挙動を防止する（光源系１４０から出た光のうち第１レンズ１５０を通過して実際上の平行光となった光（或いはそれによって対象物に作られる光点）に、迷光が与える影響を小さくする）ための工夫が施される円筒形のケース１１０の内周面の少なくとも一部は、例えば、ケースの内周面のうち、光源系１４０から第１レンズ１５０に相当する部分の１／２以上の長さに相当する範囲であっても良い。その程度の範囲に、上述の工夫が施されていれば、光源系１４０から出た光の好ましくない挙動を防止する効果を一応得られる。上述の工夫が施される範囲は、ケース１１０の内周面のうち、光源系１４０から第１レンズ１５０に相当する部分の全長にわたる範囲でも構わない。光源系１４０よりも後方に上述の工夫を凝らす必要性が低いのは、迷光が実際上の平行光に与える影響を小さくするのにあまり寄与しないからである。
前者の手段としては、例えば、円筒形のケース１１０の内周面の少なくとも一部にネジ切りを行っておくことを挙げることができる。なお、前者の手段としては、ネジ切りの他に、ケース１１０の内周面のうちのネジ切りが行われていた部分の表面を荒らすことが考えられる。
後者の手段としては、例えば、円筒形のケース１１０の内周面の少なくとも一部を、光を吸収しやすい色彩（例えば、黒色）としておくことが挙げられる。なお、ケース１１０を構成する樹脂の色彩自体を元々黒色としておけば、ケース１１０の内周面のすべてが元々黒色となるので、ケース１１０の内周面に後から着色を行わなくても、ケース１１０の内周面を光を吸収しやすい黒色の色彩とすることができる。もっとも、ケース１１０の内面を、黒色の塗料で塗装することにより、ケース１１０の元々の色彩が何色であるかによらず、ケース１１０の内周面の少なくとも一部を、光を吸収しやすい色彩とすることができる。後者の手段の他の例としては、光の反射を防止する公知の反射防止塗料をケース１１０の内面の少なくとも一部に塗布することが考えられる。
上述の前者の手段と、後者の手段は、その一方のみを採用することもできるし、その双方を採用することも可能である。この実施形態では必ずしもこの限りではないが、上述した前者の工夫としてネジ切りを、上述した後者の工夫として、黒色の塗料での着色を、行っている。前者の工夫を行った範囲は、これには限られないが、光源系１４０から第１レンズ１５０までのすべての範囲であり、後者の工夫を行った範囲は、ケース１１０の内周面の全体である。上述の前者の工夫と後者の工夫を行う範囲は、一致していても良いが、この実施形態のように、必ずしも一致していなくても良い。
【００２５】
ケース１１０の側面の適当な部分には、スイッチ１２０が配置されている。スイッチ１２０は後述する光源系のオン・オフ（点灯、消灯）の切換えを行うためのものである。それが可能な限り、スイッチ１２０には、公知のどのような構造をも採用することができる。つまり、スイッチ１２０の構成は以下に説明するものである必要はない。
この実施形態におけるスイッチ１２０は、スイッチ部材１２１を備えている。スイッチ部材１２１は、ケース１１０の適当な部分に穿たれた孔１１１の内側に嵌め込まれている。通常の状態（後述のようにケース１１０の内側に向けて押し込まれていない状態）では、スイッチ部材１２１は、図１におけるその上部が、ケース１１０の側面から幾らか突出している。スイッチ部材１２１には、図示せぬ弾性体により、図１における上向きの付勢力が加えられている。スイッチ部材１２１は、弾性体による付勢力に抗してケース１１０の内部に向けて幾らか押し込めるようになっている。
スイッチ部材１２１の図１における下端には、板状の第１電極１２２が取付けられている。また、スイッチ部材１２１の第１電極１２２の更に下方には、これも板状の第２電極１２３が設けられている。スイッチ部材１２１が通常の状態にある場合には、第１電極１２２と第２電極１２３は接触しておらず、導通していない。他方、スイッチ部材１２１がケース１１０に押し込まれた場合、第１電極１２２と第２電極１２３が接触して導通する。この実施形態におけるスイッチ１２０では、第１電極１２２と第２電極１２３が導通したときに、光源系がオン状態となり、第１電極１２２と第２電極１２３が導通していないときには、光源系がオフ状態となるような制御が行われるようになっている。第１電極１２２と第２電極１２３が導通しているかいないかということを示す信号は、第２電極１２３と接続された接続線１２４により電源部１３０に伝達されるようになっている。
【００２６】
電源部１３０は、光源系１４０に電源を供給するものである。
電源部１３０は、例えば、電池であるバッテリと、バッテリから電源を光源系１４０に供給するための電源供給用の回路と、また、第２電極１２３から接続線１２４を介して受付けた上述の信号により、電源供給用の回路に光源系１４０に対する電源の供給を行わせ、或いはそれを行わせないようにするための制御を行う制御回路を含んでいる。バッテリ、電源供給用の回路、制御回路はいずれも、公知或いは周知のものであるから、それらについての詳述は避ける。
電源供給用の回路は、電源を、接続線１３１を介して光源系１４０に供給するようになっている。
【００２７】
光源系１４０は、この実施形態では、発光体１４１と、絞り１４２とから構成されている。
発光体１４１は、発光を行うものである。発光体１４１は、これには限られないが、この実施形態では、ＬＥＤ又はＥＬである。発光体１４１が発する光の色は何色でも構わない。発光体１４１が発する色は、例えば、赤色、青色、緑色から選択される。
これには限られないが、この実施形態の発光体１４１は発光を行う面である発光面１４１Ａを備えている。発光面１４１Ａは、第１レンズ１５０及び第２レンズ１６０に臨まされている。
一般的なＬＥＤの発光面は通常、基板の側方であるが、この実施形態の発光体１４１の発光面１４１Ａは、基板の正面に位置する。発光体１４１がＬＥＤであり、その発光面１４１Ａを第１レンズ１５０及び第２レンズ１６０に臨ませる場合には、このようなＬＥＤを採用することができる。
発光体１４１がＥＬである場合、ＥＬは有機ＥＬであると無機ＥＬであるとを問わない。ＥＬの発光面は通常、基板の正面であるので、通常のＥＬを用いれば発光面を、第１レンズ１５０及び第２レンズ１６０に臨ませるのに不都合はない。
【００２８】
絞り１４２は、発光体１４１が備える発光面１４１Ａから出た光を絞る機能を有する板状体であり、発光面１４１Ａから出た光を通過させるための開口１４２Ａを備えている。
絞り１４２は、発光体１４１の発光面１４１Ａになるべく近づけて配される。そうすることで、発光面１４１Ａからの光をなるべく無駄にしないようにすることが可能となるし、迷光も生じにくくなる。発光体１４１から、より詳細には発光面１４１Ａから絞り１４２までの距離は、この実施形態では２ｍｍ以下に保つようにしている。発光体１４１がＬＥＤである場合も、ＥＬである場合も、その発光面は保護用の、或いは透明電極として機能するガラス板で覆われているのが通常であるから、実際上、発光体１４１の発光面１４１Ａと絞り１４２とを当接させるのは不可能である。もっとも、発光体１４１の発光面１４１Ａを覆う図示せぬガラス板に、絞り１４２を当接させることにより、絞り１４２は、発光体１４１に当接した状態で、発光面１４１Ａから２ｍｍ以内に配されることになる。なお、上述のガラス板の厚さは通常２ｍｍよりも遥かに薄い。
絞り１４２は、上述のように、板状であり、また開口１４２Ａを備えている。この実施形態ではそうされてはいないが、絞り１４２の部分は、ケース１１０の内部空間の断面形状に対応したものであっても良い。そうすることで、絞り１４２の外側から、迷光が、第１レンズ１５０に向かうことがなくなるから、迷光が後述する実際上の平行光に与える影響を小さくすることができる。絞り１４２の板状の部分の大きさは、発光体１４１の発光面１４１Ａからの光の照射角と発光面１４１Ａとの距離を勘案して、発光体１４１からの光がその外側から前方（図１における右側）に回り込まない形状、大きさとする。
【００２９】
これには限られないが、この実施形態における絞り１４２の開口１４２Ａに沿う縁の部分の断面形状は、その縁に行くほど薄くなるナイフエッジ状とされている。図２に示したように、絞り１４２の開口１４２Ａの部分の断面形状は、その左側に発光体１４１が存在すると仮定した場合、（ａ）、（ｂ）に示したような片刃形状でも良く、また（ｃ）に示したような両刃形状でも良い。いずれの形状を採用したとしても、ナイフエッジ形状を採用しない場合（開口１４２Ａの縁が絞り１４２の板状の部分に垂直な面である場合）に比べれば、後述する実際上の平行光に影響を与える迷光の発生を少なくすることができる。もっとも、最も迷光が生じにくいのは、（ａ）の場合であり、この実施形態では開口１４２Ａの断面形状として、そのような形状を採用している。
【００３０】
絞り１４２の開口１４２Ａと、発光体１４１の発光面１４１Ａの関係は、例えば、図３に示したようにすることができる。
図３（ａ）は、発光体１４１の発光面１４１Ａが矩形であり、絞り１４２の開口１４２Ａが、発光面１４１Ａよりも小さい円形である場合である。同（ｂ）は、発光体１４１の発光面１４１Ａが矩形であり、絞り１４２の開口１４２Ａが、発光面１４１Ａよりも小さい星形である場合である。同（ｃ）は、発光体１４１の発光面１４１Ａが矩形であり、絞り１４２の開口１４２Ａが、発光面１４１Ａよりも小さい細長い矩形である場合である。これらの場合はいずれも、開口１４２Ａが発光面１４１Ａよりも小さいので、発光面１４１Ａから出た光は、絞り１４２の開口１４２Ａのすべての部分をくまなく通過する。
他方、図３（ｄ）は、発光体１４１の発光面１４１Ａが矩形であり、絞り１４２の開口１４２Ａが、発光面１４１Ａよりも大きい（正面から光源系１４０を見た場合に、開口１４２Ａから、発光面１４１Ａの輪郭線の少なくとも一部が見える。）円形である場合である。このような場合には、発光面１４１Ａからの光の照射角にもよるが、発光面１４１Ａから出た光は、絞り１４２の開口１４２Ａの一部を通過しないことになる。このようないわば機能的に中途半端な、或いは不完全な絞り１４２でも、本願の絞り１４２であるというに差し支えない。
【００３１】
光源系１４０と第１レンズ１５０の間の、光源系１４０の近辺には散乱フィルタ１７０が設けられていてもよい。散乱フィルタ１７０は、光源系１４０から出て第１レンズ１５０に向かう光を散乱させるための、板状、フィルム状等に形成されたフィルタである。
散乱フィルタ１７０は、例えば、以下のようなものとされている。
図７（ａ）に、散乱フィルタ１７０の一例を示している。図７（ａ）では、絞り１４２に当接させた状態で散乱フィルタ１７０を配している。散乱フィルタ１７０は板状乃至フィルム状であり、絞り１４２の前側（第１レンズ１５０側）に配されている。散乱フィルタ１７０は絞り１４２の開口１４２Ａを覆うような形状、大きさとされており、この実施形態ではこれには限られないが、絞り１４２の形状、大きさと同じ形状、大きさとされている。
図７（ｂ）に散乱フィルタ１７０の他の例を示す。この例の散乱フィルタ１７０は、絞り１４２の開口１４２Ａの中に配されている。この例では、散乱フィルタ１７０と絞り１４２の厚さは同じになっているが、これはこの限りではない。
図７（ｃ）に散乱フィルタ１７０の他の例を示す。この例の散乱フィルタ１７０は、絞り１４２と一体化されている。この散乱フィルタ１７０は、図７（ａ）、（ｂ）で示した絞り１４２と同じ大きさ、形状の一枚物のフィルタである。そして、その一方の面（これには限られないが、図７（ｃ）で示した例では、その後側の面）には、図７（ａ）、（ｂ）で絞り１４２が存在したところに対応する位置に、塗料１４３が塗布されている。この塗料１４３は、光を通さない性質を持つ、例えば黒色の塗料である。かかる塗料１４３が散乱フィルタ１７０の周囲に事実上の絞りを形成する。この事実上の絞りは非常に薄いので、上述した絞り１４０の内周縁がナイフエッジ形状となっていたのと同様の効果を生じる。塗料１４３を塗布する代わりに光を透過しない薄いフィルム等を散乱フィルタ１７０に塗布するなどしても、図７（ｃ）に示したのと同様の絞り１４２と一体化された散乱フィルタ１７０を得ることができる。
【００３２】
第１レンズ１５０は正のパワーを有するレンズである。第１レンズ１５０は、１枚の凸レンズ（片凸レンズ、或いは両凸レンズかを問わない。）により構成することができる。また第１レンズ１５０は複数のレンズにより構成されていても良い。
第１レンズ１５０は、所定の点光源から出た光が第１レンズ１５０を通過した後に平行光となる理論上の点を持っている。第２レンズ１６０が存在しないと仮定するのであれば、その点は第１レンズ１５０の焦点である。
そして、その理論上の点を中心とする、第１レンズ１５０を通過した光が実際上の平行光であると言えると判断して良い光軸に対して垂直な範囲、言い換えれば光ポインタが実用された場合に、厳密に言えば平行光ではないけれども実際上の平行光といえる第１レンズ１５０を通過した光を所定の距離離れた対象物に照射した場合に対象物に生じる光点が、既存のレーザポインタが作る光点と同等の機能を果たせると判断できる程度に小さく収まるような光軸に対して垂直な範囲が、本願における光出射範囲である。上述の光源系１４０では、上述の光源系１４０に含まれる絞り１４２の開口１４２Ａが、第１レンズ１５０の光軸上にあり、当該光軸に対して垂直である面状の光出射範囲を画定する。
光源系１４０が点光源に近ければ近い程、第１レンズ１５０を通過して実際上の平行光となる光源系１４０からの光は、より完全な平行光となる。したがって当然に、光出射範囲は、小さければ小さいほど良い。この実施形態における光出射範囲は、例えば、５ｍｍ角よりも小さくされている。光出射範囲が５ｍｍ角よりも小さいと、光ポインタから対象物までの距離が３ｍ程度離れたときに対象物に平行光を当てることによりできる光点の大きさが３０ｍｍ角よりも小さくなり、光ポインタをレーザポインタと同様に用いるに不自由がなくなる。なお、光出射範囲を３ｍｍ角よりも小さくするのが、光ポインタを光ポインタから対象範囲までの距離が変わったとしても光点の大きさが変化しないようにするにはより好ましく、その目的を更に簡単に達成するなら光出射範囲を１ｍｍ角よりも小さくするのが更に好ましい。もっと言うのであれば、光出射範囲は、上述の理論上の点を中心とする直径３ｍｍの円形の範囲に含まれるようにするのがよく、直径１ｍｍの円形の範囲に含まれるようにするのが更に良い。この実施形態では、光出射範囲は、直径１ｍｍの円形の範囲に収まるようにされている。
【００３３】
第２レンズ１６０は負のパワーを有するレンズである。第２レンズ１６０は、１枚の凹レンズ（片凹レンズ、或いは両凹レンズかを問わない。）により構成することができる。また第２レンズ１６０は複数のレンズにより構成されていても良い。
第２レンズ１６０は、第１レンズ１５０の焦点を第１レンズ１５０に近づけるように機能する。第２レンズ１６０を通過した光源系１４０からの光の照射角は、第２レンズ１６０を通過する前よりも大きくなる。それにより、第１レンズ１５０の焦点が、第１レンズ１５０に近づいた状態となる。第２レンズ１６０の存在により第１レンズ１５０に近づいた状態となった第１レンズ１５０の焦点の位置は、上述した光出射範囲に含まれる。そうなるように、第１レンズ１５０、第２レンズ１６０は設計されている。
【００３４】
必ずしもこの限りではないが、この実施形態における光ポインタでは、光ポインタから、より正確に言うと第１レンズ１５０から対象物までの距離が変化しても対象物に生じる光点の大きさがそれ程変化しないようにするために、光点のピント位置を遠目に設定するようにしている。具体的には、光点のピント位置（光源系１４０の像（例えば、絞り１４２が存在するなら、その開口１４２Ａの内側部分）が結像する位置）が、予定距離よりも第１レンズ１５０から遠くなるようにされている。予定距離は、この実施形態の光ポインタを使用する際に想定される第１レンズ１５０から対象物までの距離である。
また、この実施形態では、これには限られないが、第１レンズ１５０から対象物までの距離が、予定距離の範囲内である場合における光点の大きさが、直径５ｍｍの円から少なくともその一部が食み出でるようになるようにされている。もっと言えば、この実施形態では、第１レンズ１５０から対象物までの距離が、予定距離の範囲内である場合における光点の大きさが、直径１０ｍｍの円から少なくともその一部が食み出でるようになっている。
他方、この実施形態では、これには限られないが、第１レンズから対象物までの距離が、予定距離の範囲内である場合における光点の大きさが、直径６０ｍｍの円に収まるようになっている。もっと言えば、この実施形態では、これには限られないが、第１レンズ１５０から対象物までの距離が、予定距離の範囲内である場合における光点の大きさが、直径６０ｍｍの円に収まるようになっている。
第１レンズ１５０から対象物までの距離が、予定距離の範囲内である場合における光点の大きさが直径５ｍｍの円から直径６０ｍｍの円の中に収まるようにすると、光点を見る者が、ある程度の大きさのある光点を視認しやすく、また光点が大きすぎることにより光点が何を指し示しているか分かり難くなるということが生じにくいからである。第１レンズ１５０から対象物までの距離が、予定距離の範囲内である場合における光点の大きさは、直径１０ｍｍの円から直径４０ｍｍの円の中に収まるようにするのがその意味からでは最良であり、また予定距離の範囲内での光点の大きさの変化がこの間に収まると、第１レンズ１５０から対象物までの距離の変化による光点の大きさの変化を、光点を見る者にそれ程感じさせないで済む。
【００３５】
次に、この光ポインタの使用方法と動作について説明する。
光ポインタの使用方法は、一般的なレーザポインタの使用方法と同じである。
光ポインタを使用するには、ユーザが光ポインタを手に持ち、スイッチ１２０を操作して、光源系１４０をオン状態にする。光源系１４０をオン状態にするには、スイッチ部材１２１をケース１１０に対して押し込めば良い。スイッチ部材１２１をケース１１０に対して押し込むと、スイッチ部材１２１に設けられた第１電極１２２が第２電極１２３と導通し、第１電極１２２と第２電極１２３が導通したことを示す信号が、第２電極１２３から接続線１２４を介して電源部１３０に伝達される。この信号を受けた電源部１３０は、電源を接続線１３１を介して光源系１４０の発光体１４１に送り、光源系１４０が、より正確にはその発光面１４１Ａが発光する。
【００３６】
光源系１４０の発光面１４１Ａが発光すると、発光面１４１Ａからは所定の照射角で光Ｌが発せられる（図４）。
発光面１４１Ａから出た光Ｌは、その外周部分が絞り１４２の板状の部分で遮断され、その外周部分以外の部分は絞り１４２の開口１４２Ａを通過する。絞り１４２の開口１４２Ａに沿う縁の部分の断面形状はナイフエッジ形状であるから、光Ｌが絞り１４２を通過する際に迷光が生じにくい。絞り１４２の開口１４２Ａを通過した光Ｌは、第２レンズ１６０に向かう。第２レンズ１６０を通過すると光Ｌの照射角は大きくなる。
第２レンズ１６０を通過した光Ｌは第１レンズ１５０に向かう。第１レンズ１５０を通過した光Ｌは実際上の平行光となる。
上述したように、ケース１１０の内周面の少なくとも一部には、光源系１４０から出た光Ｌの好ましくない挙動を防止するための工夫が存在する。したがって、例えば、光源系１４０から出た光Ｌから意図せぬ影響が生じたとしても、それが第１レンズ１５０を通過して実際上の平行光となった光Ｌに与えられる影響は小さく抑えられる。例えば、ケース１１０の内周面で迷光が一回反射した場合における減衰率が９５％であれば、迷光が２回反射を行うと、２回反射した後の迷光は、０．０５×０．０５＝０．００２５の式より元の１％を大きく下回ることになるので、それが実際上の平行光となった光Ｌに与える影響は殆ど無視できる。
【００３７】
実際上の平行光となった光Ｌは、対象物にあたり、そこに光点ができる。光点の形状は、絞り１４２の開口１４２Ａを通過したときにおける光Ｌの形状と同じになる。ただし、その輪郭は、光Ｌが完全な平行光ではなく実際上の平行光であること等から僅かにではあるがぼやける。絞り１４２の開口１４２Ａと発光体１４１の発光面１４１Ａの関係が、図３の（ａ）〜（ｄ）に示したものとなっていれば、そのときできる光点は、図３（ａ）の場合であればやや輪郭のぼけた円形、同（ｂ）の場合であればやや輪郭のぼけた星形、同（ｃ）の場合であればやや輪郭のぼけた細長い矩形、同（ｄ）の場合であれば４つの角を面取りされた状態のやや輪郭のぼけた矩形、となる。
【００３８】
上述のように、この実施形態では、第１レンズ１５０から対象物までの距離が、予定距離の範囲内である場合における光点の大きさが直径５ｍｍの円から直径６０ｍｍの円の中に収まるようになっており、より詳しくは、直径１０ｍｍの円から直径４０ｍｍの円の中に収まるようになっている。
以下に、本実施形態の光ポインタの試作機で、実測した光点の直径を示す表を表１として示す。表１における光点の実測値は、光点のピント位置が第１レンズ１５０から３００ｃｍ、６００ｃｍ、及び１５００ｃｍの３種類の測定条件で測定されたものであり、且ついずれの場合においても、光源系１４０の光射出範囲は直径１ｍｍの円形であるとともに、第１レンズ１５０の特性は、レンズの直径＝２０ｍｍ、有効径の直径＝１６ｍｍ、ｆ＝８０の条件の同一条件である。また、表１で示された数値は、いずれも円形であった光点の直径を示している。また、対象物は、第１レンズ１５０の光軸に対して垂直な面である。
表１に記された数値に対応する光点はいずれも円形であり、表１に示された数値がいずれも各光点の直径を単位ｍｍで示したものである。
【表１】
2015222341.tif 000003
【００３９】
表１に示すように、第１レンズ１５０からピント位置までの距離が３００ｃｍのときにおいては、対象物までの距離が１０ｃｍのときに既に光点の直径が１２ｍｍと１０ｍｍを超えている。そして、第１レンズ１５０から対象物までの距離がピント位置と一致する３００ｃｍのときにでも、光点の直径は２８ｍｍとなっており、その直径は４０ｍｍを下回っている。なお、対象物が第１レンズ１５０から３００ｃｍにあるときには対象物の表面が光ポインタのピント位置と一致しているので、本来であれば、発光体（試作機ではＬＥＤである。）の表面の半導体のパターンなどが光点の中に浮かび上がるはずであるが、上述した散乱フィルタの機能により、そのようなことはない。他方、第１レンズ１５０から対象物までの距離がよりピント位置長くなると、光点の直径は、急激に大きくなり、第１レンズ１５０から対象物までの距離が６００ｃｍになるとその直径は６０ｍｍを超えてしまう。そして第１レンズ１５０から対象物までの距離が１０００ｃｍになると、光点の直径は益々大きくなり１１８ｍｍとなる。第１レンズ１５０からピント位置までの距離が３００ｃｍのときにおいては、予定距離を、０ｃｍ〜５００ｃｍとすれば、その範囲のどこに対象物があったとしても、光点の大きさが直径１０ｍｍの円から直径６０ｍｍの円の中に収まるようになる。他方、予定距離を、０ｃｍ〜４００ｃｍ弱（例えば３８０ｃｍ）とすれば、その範囲のどこに対象物があったとしても、光点の大きさが直径１０ｍｍの円から直径４０ｍｍの円の中に収まるようになる。
第１レンズ１５０からピント位置までの距離が６００ｃｍのときにおいては、第１レンズ１５０から対象物までの距離が小さい一部の場合を例外とするが、光点の直径は、第１レンズ１５０から対象物までの距離が３００ｃｍのときに比較して、同じか小さい。その差は、第１レンズから対象物までの距離が大きくなる程、開いていく。第１レンズ１５０からピント位置までの距離が６００ｃｍのとき、対象物までの距離が１０ｃｍのときに既に光点の直径が１２ｍｍと１０ｍｍを超えている。そして、対象物までの距離が４００ｃｍのときにでも、光点の直径は３７ｍｍとなっており、その直径は４０ｍｍを下回っている。第１レンズ１５０から対象物までの距離がピント位置と一致する６００ｃｍのときにでも、光点の直径は５６ｍｍとなっており、その直径は６０ｍｍを下回っている。なお、このとき、発光体の表面の半導体のパターンなどが光点の中に浮かび上がることがないのは、上述の場合と同様である。光点の直径が６０ｍｍを超えるのは、第１レンズ１５０から対象物が８００ｃｍ離れたときであり、そのときの光点の直径は７８ｍｍである。第１レンズ１５０からピント位置までの距離が６００ｃｍのときにおいては、予定距離を、０ｃｍ〜６００ｃｍ強（例えば、６３０ｃｍ）とすれば、その範囲のどこに対象物があったとしても、光点の大きさが直径１０ｍｍの円から直径６０ｍｍの円の中に収まるようになる。他方、予定距離を、０ｃｍ〜４００ｃｍ強（例えば４２０ｃｍ）とすれば、その範囲のどこに対象物があったとしても、光点の大きさが直径１０ｍｍの円から直径４０ｍｍの円の中に収まるようになる。
第１レンズ１５０からピント位置までの距離が１５００ｃｍのときにおいては、第１レンズ１５０から対象物までの距離によらず、光点の直径は、第１レンズ１５０から対象物までの距離が６００ｃｍのときに比較して、第１レンズ１５０から対象物までの距離が概ね６００ｃｍよりも小さい場合には、同じか小さく、第１レンズ１５０から対象物までの距離が概ね６００ｃｍよりも大きい場合には、同じか大きいという関係にある。第１レンズ１５０から対象物までの距離が概ね６００ｃｍよりも大きい場合における両者の差は、第１レンズから対象物までの距離が大きくなる程、開いていく。第１レンズ１５０からピント位置までの距離が１５００ｃｍのとき、対象物までの距離が１０ｃｍのときに既に光点の直径が１２ｍｍと１０ｍｍを超えている。そして、対象物までの距離が４００ｃｍのときにようやく、光点の直径は４１ｍｍとなっており、その直径が４０ｍｍを上回る。第１レンズ１５０から対象物までの距離が６００ｃｍのときにでも、光点の直径は５６ｍｍとなっており、その直径は６０ｍｍを下回っている。光点の直径が６０ｍｍを超えるのは、第１レンズ１５０から対象物が８００ｃｍ離れたときであり、そのときの光点の直径は７１ｍｍである。なお、この光点の直径は、第１レンズ１５０からピント位置までの距離が６００ｃｍのときよりも更に小さい。第１レンズ１５０からピント位置までの距離が１５００ｃｍのときにおいては、予定距離を、０ｃｍ〜７００ｃｍ弱（例えば、６８０ｃｍ）とすれば、その範囲のどこに対象物があったとしても、光点の大きさが直径１０ｍｍの円から直径６０ｍｍの円の中に収まるようになる。他方、予定距離を、０ｃｍ〜４００ｃｍ弱（例えば３８０ｃｍ）とすれば、その範囲のどこに対象物があったとしても、光点の大きさが直径１０ｍｍの円から直径４０ｍｍの円の中に収まるようになる。
【００４０】
ユーザが、スイッチ１２０を操作して光源系１４０をオフ状態とすると、光源系１４０は光の照射をやめ、対象物に映しだされていた光点が消える。
光源系１４０をオフ状態にするには、ユーザは、スイッチ部材１２１から指を離せば良い。そうすれば、スイッチ部材１２１は図示を省略の弾性体からの付勢力により元の図１に示した位置に復帰する。その位置では、第１電極１２２と、第２電極１２３の導通がない状態となるので、それに基いて電源部１３０が光源系１４０への電源の供給を中止するので、光源系１４０はオフ状態となるのである。
【００４１】
［変形例１］
変形例１の光ポインタは、上述の実施形態の光ポインタと殆ど同様に構成されている。変形例１の光ポインタの構成のうち上述の実施形態による光ポインタの構成と異なるのは、光源系１４０の構成である。
変形例１の光ポインタにおける光源系１４０は絞りを持たず、発光体１４１のみにて構成されている（図５）。発光体１４１は、上述の実施形態の場合と同様に発光面１４１Ａを備えている。発光面１４１Ａは、上述の実施形態の場合と同様に、光軸に垂直であり、第２レンズ１６０に臨んでいる。
変形例１では、発光面１４１Ａ自体が、上述の実施形態における光出射範囲に該当する。したがって、変形例１の発光体１４１の発光面１４１Ａは、上述の実施形態における光出射範囲が位置するべき位置に存在し、またその形状、大きさは上述の実施形態における光出射範囲が満たすべき大きさに収まっている。発光面１４１Ａの形状はどのようなものであっても良いが、発光体１４１がＬＥＤかＥＬである場合、現在の製造技術では、発光体１４１の発光面１４１Ａは、正方形を含む矩形にしかなり得ないであろう。
変形例１の光ポインタの使用方法、及び動作は、光Ｌが絞りで絞られない以外は、上述の実施形態の場合と同様である。
【００４２】
［変形例２］
変形例２の光ポインタは、上述の実施形態の光ポインタと殆ど同様に構成されている。変形例２の光ポインタの構成のうち上述の実施形態による光ポインタの構成と異なるのは、変形例２の光ポインタは上述の実施形態による光ポインタが備えていた第２レンズを持たないという点である。
変形例２の光ポインタは第２レンズを持たないため、その照射位置は第１レンズ１５０に近づいていない元々の第１レンズ１５０の焦点を含む位置に位置する。
第２レンズが存在しない光ポインタは、その分だけ、上述の実施形態の光ポインタよりも前後方向の大きさが大きなものとなる。
変形例２の光ポインタの使用方法、及び動作は、光Ｌが第２レンズを通過しない以外は上述の実施形態の場合と同様である。
なお、変形例２の光ポインタの光源系１４０は、変形例１のものに変更することも可能である。
【符号の説明】
【００４３】
１１０  ケース
１２０  スイッチ
１２１  スイッチ部材
１２２  第１電極
１２３  第２電極
１３０  電源部
１４０  光源系
１４１  発光体
１４１Ａ  発光面
１４２  絞り
１４２Ａ  開口
１５０  第１レンズ
１６０  第２レンズ
【図１】
2015222341.tif 000004
【図２】
2015222341.tif 000005
【図３】
2015222341.tif 000006
【図４】
2015222341.tif 000007
【図５】
2015222341.tif 000008
【図６】
2015222341.tif 000009
【図７】
2015222341.tif 000010